【手続補正書】
【提出日】平成22年2月19日(2010.2.19)
【手続補正１】
【補正対象書類名】明細書
【補正対象項目名】特許請求の範囲
【補正方法】変更
【補正の内容】
【特許請求の範囲】
【請求項１】  互いに接した複数の矩形領域で、塗り、またはクリッピングを指定する画像形成要求に応じて、前記互いに接した複数の矩形領域の輪郭の頂点の座標を抽出する抽出手段と、
出力解像度に応じて前記抽出した輪郭の頂点の座標の一部を間引く間引手段と、
前記間引いた後の輪郭の頂点の座標点列から、指定された塗り、またはクリッピングを指定する印刷命令データを生成する手段とを具えたことを特徴とするデータ処理装置。
【請求項２】  請求項１において、
前記間引手段は、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とするデータ処理装置。
【請求項３】  請求項２において、
前記間引手段は、さらにＢ点の次の座標点Ｃ，Ｄ点間の変化量がＡ，Ｂ間の変化量と同じ時は、Ｂ点を間引くことを特徴とするデータ処理装置。
【請求項４】  請求項１において、
前記間引手段は、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とするデータ処理装置。
【請求項５】  請求項４において、
前記間引手段は、さらにＢ点の次の座標点Ｃ，Ｄ点間の変化量がＡ，Ｂ間の変化量と同じ時は、Ｂ点を間引くことを特徴とするデータ処理装置。
【請求項６】  請求項１において、
前記間引手段は、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とするデータ処理装置。
【請求項７】  請求項６において、
前記間引手段は、さらにＢ点の次の座標点Ｃ，Ｄ点間の変化量がＡ，Ｂ間の変化量と同じ時は、Ｂ点を間引くことを特徴とするデータ処理装置。
【請求項８】  請求項１において、
前記間引手段は、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とするデータ処理装置。
【請求項９】  請求項８において、
前記間引手段は、さらにＢ点の次の座標点Ｃ，Ｄ点間の変化量がＡ，Ｂ間の変化量と同じ時は、Ｂ点を間引くことを特徴とするデータ処理装置。
【請求項１０】  互いに接した複数の矩形領域で、塗り、またはクリッピングを指定する画像形成要求に応じて、前記互いに接接した複数の矩形領域の輪郭の頂点の座標を抽出する抽出ステップと、
出力解像度に応じて前記抽出した輪郭の頂点の座標の一部を間引く間引ステップと、
前記間引いた後の輪郭の頂点の座標点列から、指定された塗り、またはクリッピングを指定する印刷命令データを生成する生成ステップとを具えたことを特徴とするデータ処理方法。
【請求項１１】  請求項１０において、
前記間引ステップは、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とするデータ処理方法。
【請求項１２】  請求項１１において、
前記間引ステップは、さらにＢ点の次の座標点Ｃ，Ｄ点間の変化量がＡ，Ｂ間の変化量と同じ時は、Ｂ点を間引くことを特徴とするデータ処理方法。
【請求項１３】  請求項１０において、
前記間引ステップは、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とするデータ処理方法。
【請求項１４】  請求項１３において、
前記間引ステップは、さらにＢ点の次の座標点Ｃ，Ｄ点間の変化量がＡ，Ｂ間の変化量と同じ時は、Ｂ点を間引くことを特徴とするデータ処理方法。
【請求項１５】  請求項１０において、
前記間引ステップは、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とするデータ処理方法。
【請求項１６】  請求項１５において、
前記間引ステップは、さらにＢ点の次の座標点Ｃ，Ｄ点間の変化量がＡ，Ｂ間の変化量と同じ時は、Ｂ点を間引くことを特徴とするデータ処理方法。
【請求項１７】  請求項１０において、
前記間引ステップは、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とするデータ処理方法。
【請求項１８】  請求項１７において、
前記間引ステップは、さらにＢ点の次の座標点Ｃ，Ｄ点間の変化量がＡ，Ｂ間の変化量と同じ時は、Ｂ点を間引くことを特徴とするデータ処理方法。
【請求項１９】  互いに接した複数の矩形領域で、塗り、またはクリッピングを指定する画像形成要求に応じて、前記互いに接した複数の矩形領域の輪郭の頂点の座標を抽出する抽出手順と、
出力解像度に応じて前記抽出した輪郭の頂点の座標の一部を間引く間引手順と、
前記間引いた後の輪郭の頂点の座標点列から、指定された塗り、またはクリッピングを指定する印刷命令データを生成する生成手順と
をコンピュータに実行させるためのプログラムを記憶したコンピュータ読み取り可能な記憶媒体。
【請求項２０】  互いに接した複数の矩形領域で、塗り、またはクリッピングを指定する画像形成要求に応じて、前記互いに接した複数の矩形領域の輪郭の頂点の座標を抽出する抽出手順と、
出力解像度に応じて前記抽出した輪郭の頂点の座標の一部を間引く間引手順と、
前記間引いた後の輪郭の頂点の座標点列から、指定された塗り、またはクリッピングを指定する印刷命令データを生成する生成手順と
をコンピュータに実行させるためのプログラム。
【請求項２１】  請求項２０において、
前記間引手順は、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とするプログラム。
【請求項２２】  請求項２１において、
前記間引手順は、さらにＢ点の次の座標点Ｃ，Ｄ点間の変化量がＡ，Ｂ間の変化量と同じ時は、Ｂ点を間引くことを特徴とするプログラム。
【請求項２３】  請求項２０において、
前記間引手順は、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とするプログラム。
【請求項２４】  請求項２３において、
前記間引手順は、さらにＢ点の次の座標点Ｃ，Ｄ点間の変化量がＡ，Ｂ間の変化量と同じ時は、Ｂ点を間引くことを特徴とするプログラム。
【請求項２５】  請求項２０において、
前記間引手順は、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とするプログラム。
【請求項２６】  請求項２５において、
前記間引手順は、さらにＢ点の次の座標点Ｃ，Ｄ点間の変化量がＡ，Ｂ間の変化量と同じ時は、Ｂ点を間引くことを特徴とするプログラム。
【請求項２７】  請求項２０において、
前記間引手順は、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とするプログラム。
【請求項２８】  請求項２７において、
前記間引手順は、さらにＢ点の次の座標点Ｃ，Ｄ点間の変化量がＡ，Ｂ間の変化量と同じ時は、Ｂ点を間引くことを特徴とするプログラム。
【手続補正２】
【補正対象書類名】明細書
【補正対象項目名】００１７
【補正方法】変更
【補正の内容】
【００１７】
【課題を解決するための手段】
請求項１の発明は、互いに接した複数の矩形領域で、塗り、またはクリッピングを指定する画像形成要求に応じて、前記互いに接した複数の矩形領域の輪郭の頂点の座標を抽出する抽出手段と、出力解像度に応じて前記抽出した輪郭の頂点の座標の一部を間引く間引手段と、前記間引いた後の輪郭の頂点の座標点列から、指定された塗り、またはクリッピングを指定する印刷命令データを生成する手段とを具えたことを特徴とする。
【手続補正３】
【補正対象書類名】明細書
【補正対象項目名】００１８
【補正方法】変更
【補正の内容】
【００１８】
請求項２の発明は、請求項１において、前記間引手段は、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とする。
【手続補正４】
【補正対象書類名】明細書
【補正対象項目名】００２０
【補正方法】変更
【補正の内容】
【００２０】
請求項４の発明は、請求項１において、前記間引手段は、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とする。
【手続補正５】
【補正対象書類名】明細書
【補正対象項目名】００２２
【補正方法】変更
【補正の内容】
【００２２】
請求項６の発明は、請求項１において、前記間引手段は、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とする。
【手続補正６】
【補正対象書類名】明細書
【補正対象項目名】００２４
【補正方法】変更
【補正の内容】
【００２４】
請求項８の発明は、請求項１において、前記間引手段は、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とする。
【手続補正７】
【補正対象書類名】明細書
【補正対象項目名】００２６
【補正方法】変更
【補正の内容】
【００２６】
請求項１０の発明は、互いに接した複数の矩形領域で、塗り、またはクリッピングを指定する画像形成要求に応じて、前記互いに接した複数の矩形領域の輪郭の頂点の座標を抽出する抽出ステップと、出力解像度に応じて前記抽出した輪郭の頂点の座標の一部を間引く間引ステップと、前記間引いた後の輪郭の頂点の座標点列から、指定された塗り、またはクリッピングを指定する印刷命令データを生成する生成ステップとを具えたことを特徴とする。
【手続補正８】
【補正対象書類名】明細書
【補正対象項目名】００２７
【補正方法】変更
【補正の内容】
【００２７】
請求項１１の発明は、請求項１０において、前記間引ステップは、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とする。
【手続補正９】
【補正対象書類名】明細書
【補正対象項目名】００２９
【補正方法】変更
【補正の内容】
【００２９】
請求項１３の発明は、請求項１０において、前記間引ステップは、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とする。
【手続補正１０】
【補正対象書類名】明細書
【補正対象項目名】００３１
【補正方法】変更
【補正の内容】
【００３１】
請求項１５の発明は、請求項１０において、前記間引ステップは、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とする。
【手続補正１１】
【補正対象書類名】明細書
【補正対象項目名】００３３
【補正方法】変更
【補正の内容】
【００３３】
請求項１７の発明は、請求項１０において、前記間引ステップは、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とする。
【手続補正１２】
【補正対象書類名】明細書
【補正対象項目名】００３５
【補正方法】変更
【補正の内容】
【００３５】
請求項１９の発明は、コンピュータに実行させるためのプログラムを記憶したコンピュータ読み取り可能な記憶媒体であって、前記プログラムは、互いに接した複数の矩形領域で、塗り、またはクリッピングを指定する画像形成要求に応じて、前記互いに接した複数の矩形領域の輪郭の頂点の座標を抽出する抽出手順と、出力解像度に応じて前記抽出した輪郭の頂点の座標の一部を間引く間引手順と、前記間引いた後の輪郭の頂点の座標点列から、指定された塗り、またはクリッピングを指定する印刷命令データを生成する生成手順とを具えたことを特徴とする。
【手続補正１３】
【補正対象書類名】明細書
【補正対象項目名】００４４
【補正方法】変更
【補正の内容】
【００４４】
請求項２０の発明は、互いに接した複数の矩形領域で、塗り、またはクリッピングを指定する画像形成要求に応じて、前記互いに接した複数の矩形領域の輪郭の頂点の座標を抽出する抽出手順と、出力解像度に応じて前記抽出した輪郭の頂点の座標の一部を間引く間引手順と、前記間引いた後の輪郭の頂点の座標点列から、指定された塗り、またはクリッピングを指定する印刷命令データを生成する生成手順とをコンピュータに実行させるためのプログラムを特徴とする。
【手続補正１４】
【補正対象書類名】明細書
【補正対象項目名】００４５
【補正方法】変更
【補正の内容】
【００４５】
請求項２１の発明は、請求項２０において、前記間引手順は、Ｙ座標の最小点から一方向回りに二点の座標点Ａ，Ｂを読み込んだときの変化が、Ａ点はＸ軸方向にプラス、Ｂ点はＹ軸方向にプラスで、Ａ，Ｂ間のＸまたはＹ方向変化分が出力解像度の最小単位以下の時は、Ａ点を間引くことを特徴とする。
【手続補正１５】
【補正対象書類名】明細書
【補正対象項目名】００４７
【補正方法】変更
【補正の内容】
【００４７】
請求項２３の発明は、請求項２０において、前記間引手順は、Ｙ座標の最小点から一方向回りに二点の座標点Ａ，Ｂを読み込んだときの変化が、Ａ点はＸ軸方向にプラス、Ｂ点はＹ軸方向にマイナスで、Ａ，Ｂ間のＸまたはＹ方向変化分が出力解像度の最小単位以下の時は、Ａ点を間引くことを特徴とする。
【手続補正１６】
【補正対象書類名】明細書
【補正対象項目名】００４９
【補正方法】変更
【補正の内容】
【００４９】
請求項２５の発明は、請求項２０において、前記間引手順は、Ｙ座標の最小点から一方向回りに二点の座標点Ａ，Ｂを読み込んだときの変化が、Ａ点はＸ軸方向にマイナス、Ｂ点はＹ軸方向にマイナスで、Ａ，Ｂ間のＸまたはＹ方向変化分が出力解像度の最小単位以下の時は、Ａ点を間引くことを特徴とする。
【手続補正１７】
【補正対象書類名】明細書
【補正対象項目名】００５１
【補正方法】変更
【補正の内容】
【００５１】
請求項２７の発明は、請求項２０において、前記間引手順は、Ｙ座標の最小点から一方向回りに二点の座標点Ａ，Ｂを読み込んだときの変化が、Ａ点はＸ軸方向にマイナス、Ｂ点はＹ軸方向にプラスで、Ａ，Ｂ間のＸまたはＹ方向変化分が出力解像度の最小単位以下の時は、Ａ点を間引くことを特徴とする。